(57)【要約】      （修正有）【課題】広画角、高ズーム比、および小型の点で有利なズームレンズを提供する。【解決手段】ズームレンズは、物体側から順に、ズーミングのためには移動しない正の第１レンズ群Ｕ１と、ズーミングのために移動する負の第２レンズ群Ｕ２と、ズーミングのために移動する正の第３レンズ群Ｕ３とを有し、第２レンズ群は、最も物体側に負レンズを有し、第１レンズ群の焦点距離をｆ１、第２レンズ群の焦点距離をｆ２、負レンズの焦点距離をｆ２１、負レンズの像側の曲率半径をｒ２、広角端での第２レンズ群の横倍率および望遠端での第２レンズ群の横倍率をそれぞれβ２ｗおよびβ２ｔとして、−１８．０＜ｆ１／ｆ２＜−３．０、０．２＜ｆ２１／ｆ２＜３．６、−０．９５＜ｆ２１／ｒ２＜−０．２５、７．０＜β２ｔ／β２ｗ＜１２５.０、なる条件式を満たす。【選択図】図１
2019148760.tif 000002
【特許請求の範囲】
【請求項１】
物体側から像側へ順に、ズーミングのためには移動しない正の屈折力の第１レンズ群と、ズーミングのために移動する負の屈折力の第２レンズ群と、ズーミングのために移動する正の屈折力の第３レンズ群とを有し、
前記第２レンズ群は、最も物体側に負レンズを有し、
前記第１レンズ群の焦点距離をｆ１とし、前記第２レンズ群の焦点距離をｆ２とし、前記負レンズの焦点距離をｆ２１とし、前記負レンズの像側の曲率半径をｒ２とし、広角端での前記第２レンズ群の横倍率および望遠端での前記第２レンズ群の横倍率をそれぞれβ２ｗおよびβ２ｔとして、
−１８．０＜ｆ１／ｆ２＜−３．０
０．２＜ｆ２１／ｆ２＜３．６
−０．９５＜ｆ２１／ｒ２＜−０．２５
７．０＜β２ｔ／β２ｗ＜１２５.０
なる条件式を満たすことを特徴とするズームレンズ。
【請求項２】
前記第３レンズ群は、物体側から像側へ順に、第３１サブレンズ群と第３２サブレンズ群とから構成され、広角端から望遠端への前記第３１サブレンズ群の移動量および広角端から望遠端への前記第３２サブレンズ群の移動量をそれぞれｍ３１およびｍ３２として、
０．９０＜ｍ３１／ｍ３２＜１．１２
なる条件式を満たすことを特徴とする請求項１に記載のズームレンズ。
【請求項３】
前記第３１サブレンズ群の焦点距離をｆ３１とし、前記第３２サブレンズ群の焦点距離をｆ３２として、
０．３＜ｆ３１／ｆ３２＜３．４
なる条件式を満たすことを特徴とする請求項１または２に記載のズームレンズ。
【請求項４】
物体側から像側へ順に、ズーミングのためには移動しない正の屈折力の第１レンズ群と、ズーミングのために移動する負の屈折力の第２レンズ群と、ズーミングのために移動する負の屈折力の第３レンズ群とを有し、
前記第２レンズ群は、最も物体側に負レンズを有し、
前記第１レンズ群の焦点距離をｆ１とし、前記第２レンズ群の焦点距離をｆ２とし、前記負レンズの焦点距離をｆ２１とし、前記負レンズの像側の曲率半径をｒ２として、
−１８．０＜ｆ１／ｆ２＜−３．０
０．２＜ｆ２１／ｆ２＜３．６
−３．０＜ｆ２１／ｒ２＜−０．２５
なる条件式を満たすことを特徴とするズームレンズ。
【請求項５】
広角端での前記第２レンズ群の横倍率および望遠端での前記第２レンズ群の横倍率をそれぞれβ２ｗおよびβ２ｔとして、
７．０＜β２ｔ／β２ｗ＜１２５．０
なる条件式を満たすことを特徴とする請求項４に記載のズームレンズ。
【請求項６】
前記第３レンズ群は、物体側から像側へ順に、第３１サブレンズ群と第３２サブレンズ群とから構成され、広角端から望遠端への前記第３１サブレンズ群の移動量および広角端から望遠端への前記第３２サブレンズ群の移動量をそれぞれｍ３１およびｍ３２として、
０．９０＜ｍ３１／ｍ３２＜１．１２
なる条件式を満たすことを特徴とする請求項４または５に記載のズームレンズ。
【請求項７】
前記第３１サブレンズ群の焦点距離および前記第３２サブレンズ群の焦点距離をそれぞれｆ３１およびｆ３２として、
−０．３＜ｆ３１／ｆ３２＜−３．４
なる条件式を満たすことを特徴とする請求項６に記載のズームレンズ。
【請求項８】
前記第２レンズ群は、物体側から像側へ順に、第２１サブレンズ群と第２２サブレンズ群とから構成され、広角端から望遠端への前記第２１サブレンズ群の移動量および広角端から望遠端への前記第２２サブレンズ群の移動量をそれぞれｍ２１およびｍ２２として、
０．９０＜ｍ２１／ｍ２２＜１．１２
なる条件式を満たすことを特徴とする請求項１乃至７のうちいずれか１項に記載のズームレンズ。
【請求項９】
前記負レンズの物体側のレンズ面の曲率半径をｒ１とし、前記負レンズの像側のレンズ面の曲率半径をｒ２として、
０．４＜（ｒ１＋ｒ２）／（ｒ１−ｒ２）＜０．９７
なる条件式を満たすことを特徴とする請求項１乃至８のうちいずれか１項に記載のズームレンズ。
【請求項１０】
前記負レンズを構成する材料の屈折率をＮ２１として、
１．７５＜Ｎ２１＜２．３０
なる条件式を満たすことを特徴とする請求項１乃至９のうちいずれか１項に記載のズームレンズ。
【請求項１１】
前記負レンズを構成する材料のアッベ数をν２１として、
１８＜ν２１＜５０
なる条件式を満たすことを特徴とする請求項１乃至１０のうちいずれか１項に記載のズームレンズ。
【請求項１２】
前記第２レンズ群は、屈折率をＮ２ｐとして、
１．７＜Ｎ２ｐ＜２．１
なる条件式を満たす正の屈折力のレンズを含むことを特徴とする請求項１乃至１１のうちいずれか１項に記載のズームレンズ。
【請求項１３】
前記第２レンズ群は、アッベ数をν２ｐとして、
１６＜ν２ｐ＜３０
なる条件式を満たす正の屈折力のレンズを含むことを特徴とする請求項１乃至１２のうちいずれか１項に記載のズームレンズ。
【請求項１４】
前記第３レンズ群より像側に配置され、光路への挿抜によって焦点距離範囲を変更するレンズユニットを有することを特徴とする請求項１乃至１３のうちいずれか１項に記載のズームレンズ。
【請求項１５】
請求項１乃至１４のうちいずれか１項に記載のズームレンズと、
前記ズームレンズによって形成された像を受ける撮像素子と、
を有することを特徴とする撮像装置。
【請求項１６】
前記ズームレンズの広角端での半画角をωｗとし、前記ズームレンズの広角端での焦点距離をｆｗとし、前記ズームレンズの望遠端での焦点距離をｆｔとして、
１８＜ｆｔ／ｆｗ＜１４０
５７．８＜２ωｗ＜７２．６
なる条件式を満たすことを特徴とする請求項１５に記載の撮像装置。
【発明の詳細な説明】
【技術分野】
【０００１】
本発明は、ズームレンズ及び撮像装置に関する。
【背景技術】
【０００２】
近年テレビカメラ、銀塩フィルム用カメラ、デジタルカメラ、ビデオカメラ等の撮像装置には高倍率で広角端の画角が広く、しかも高い光学性能を有したズームレンズが要望されている。高倍率且つ広画角のズームレンズとして最も物体側に正の屈折力のレンズ群を配置し、全体として４つ以上のレンズ群からなるポジティブリード型のズームレンズが知られている。
【０００３】
特許文献１には、正の第１レンズ群、負の第２レンズ群、正の第３レンズ群、正の第４レンズ群、正の第５レンズ群よりなり、広角端の撮影画角が６８．６°でズーム倍率が１０３倍程度の５群ズームレンズが開示されている。
【０００４】
また、特許文献２には、正の第１レンズ群、負の第２レンズ群、正の第３レンズ群、負の第４レンズ群、正の第５レンズ群からなり、広角端の撮影画角が６２．９°でズーム倍率が１２０倍程度の５群ズームレンズが開示されている。
【先行技術文献】
【特許文献】
【０００５】
【特許文献１】特開２０１６−１６４６２９号公報
【特許文献２】特開２０１４−０３８２３６号公報
【発明の概要】
【発明が解決しようとする課題】
【０００６】
前述のようなズームレンズにおいて高倍率化を達成しようとすると変倍用の第２レンズ群の可動領域を長く確保する必要があり、最も物体側に配置される第１レンズ群のレンズ径が大きくなる傾向がある。また広画角化を達成しようとすると、第１レンズ群に取り込む光線入射角を広く確保する必要があり、やはり第１レンズ群のレンズ径が大きくなる傾向がある。広画角化と高倍率化を両立しながら第１レンズ群のレンズ径の増大を抑制するためには、変倍用の第２レンズ群を小型化することや、光線の入射基準となる第２レンズ群の主点位置を物体側へ押し出すことが重要になってくる。
【０００７】
前述のようなズームレンズにおいて、レンズ系全体の小型化を図りつつ広画角化を図り、しかも全ズーム範囲にわたり高い光学性能を得るには第１レンズ群の屈折力や変倍用の第２レンズ群のレンズ構成等を適切に設定することが重要になってくる。これらの設定が不適切であると、高倍率で広画角でありながら小型のズームレンズを得ることが困難となる。
【０００８】
本発明は、例えば、広画角、高ズーム比、および小型の点で有利なズームレンズを提供することを目的とする。
【課題を解決するための手段】
【０００９】
本発明のズームレンズは、物体側から像側へ順に、ズーミングのためには移動しない正の屈折力の第１レンズ群と、ズーミングのために移動する負の屈折力の第２レンズ群と、ズーミングのために移動する正の屈折力の第３レンズ群とを有し、前記第２レンズ群は、最も物体側に負レンズを有し、前記第１レンズ群の焦点距離をｆ１とし、前記第２レンズ群の焦点距離をｆ２とし、前記負レンズの焦点距離をｆ２１とし、前記負レンズの像側の曲率半径をｒ２とし、広角端での前記第２レンズ群の横倍率および望遠端での前記第２レンズ群の横倍率をそれぞれβ２ｗおよびβ２ｔとして、
−１８．０＜ｆ１／ｆ２＜−３．０
０．２＜ｆ２１／ｆ２＜３．６
−０．９５＜ｆ２１／ｒ２＜−０．２５
７．０＜β２ｔ／β２ｗ＜１２５.０
なる条件式を満たすことを特徴とする。
【発明の効果】
【００１０】
本発明によれば、例えば、広画角、高ズーム比、および小型の点で有利なズームレンズを提供することができる。
【図面の簡単な説明】
【００１１】
【図１】数値実施例１の広角端の無限遠合焦時のレンズ断面図
【図２】数値実施例１の広角端（ａ）、ズーム中間（ｂ）、望遠端（ｃ）の無限遠合焦時の収差図
【図３】数値実施例２の広角端の無限遠合焦時のレンズ断面図
【図４】数値実施例２の広角端（ａ）、ズーム中間（ｂ）、望遠端（ｃ）の無限遠合焦時の収差図
【図５】数値実施例３の広角端の無限遠合焦時のレンズ断面図
【図６】数値実施例３の広角端（ａ）、ズーム中間（ｂ）、望遠端（ｃ）の無限遠合焦時の収差図
【図７】数値実施例４の広角端の無限遠合焦時のレンズ断面図
【図８】数値実施例４の広角端（ａ）、ズーム中間（ｂ）、望遠端（ｃ）の無限遠合焦時の収差図
【図９】数値実施例５の広角端の無限遠合焦時のレンズ断面図
【図１０】数値実施例５の広角端（ａ）、ズーム中間（ｂ）、望遠端（ｃ）の無限遠合焦時の収差図
【図１１】本発明の撮像装置の要部概略図
【図１２】本発明のズームレンズの第２レンズ群の主点位置を示す説明図
【発明を実施するための形態】
【００１２】
以下に、本発明の好ましい実施の形態を、添付の図面に基づいて詳細に説明する。
本発明のズームレンズの第１の態様は、物体側から像側へ順に、ズーミングのためには移動しない正の屈折力を有する第１レンズ群と、ズーミングのために移動する負の屈折力を有する第２レンズ群と、ズーミングのために移動する正の屈折力を有する第３レンズ群とを有する。第２レンズ群は最も物体側に負の屈折力を有する負レンズＬ２１を有する。前記第１レンズ群の焦点距離をｆ１とし、前記第２レンズ群の焦点距離をｆ２とし、前記負レンズの焦点距離をｆ２１とし、前記負レンズの像面側曲率半径をｒ２とし、前記第２レンズ群の広角端と望遠端における横倍率をそれぞれβ２ｗ、β２ｔとして、
−１８．０＜ｆ１／ｆ２＜−３．０
０．２＜ｆ２１／ｆ２＜３．６
−０．９５＜ｆ２１／ｒ２＜−０．２５
７．０＜β２ｔ／β２ｗ＜１２５.０
なる条件式を満たすことを特徴とする。
【００１３】
また、本発明のズームレンズの第２の態様は、物体側から像側へ順に、ズーミングのためには移動しない正の屈折力の第１レンズ群と、ズーミングのために移動する負の屈折力の第２レンズ群と、ズーミングのために移動する負の屈折力の第３レンズ群とを有する。前記第２レンズ群は最も物体側に負の屈折力の負レンズを有する。前記第１レンズ群の焦点距離をｆ１とし、前記第２レンズ群の焦点距離をｆ２とし、前記負レンズの焦点距離をｆ２１とし、前記負レンズの像面側曲率半径をｒ２として、
−１８．０＜ｆ１／ｆ２＜−３．０
０．２＜ｆ２１／ｆ２＜３．６
−３．０＜ｆ２１／ｒ２＜−０．２５
なる条件式を満たすことを特徴とする。
【００１４】
また、本発明のズームレンズは、第３レンズ群よりも撮像面側に配置されるレンズ群中に、光路中より挿抜可能であってズームレンズ全系の焦点距離を変位させるレンズユニットを有していても良い。
【００１５】
図１は、本発明の実施例１（数値実施例１）のズームレンズの広角端（焦点距離８．５ｍｍ）における無限遠物体に合焦状態のレンズ断面図である。
【００１６】
図２はそれぞれ、数値実施例１の（ａ）広角端（焦点距離８．５ｍｍ）、（ｂ）ズーム中間（焦点距離１００ｍｍ）、（ｃ）望遠端（焦点距離１０２０ｍｍ）における無限遠物体に合焦状態の収差図である。
【００１７】
図３は、本発明の実施例２（数値実施例２）のズームレンズの広角端（焦点距離８．８ｍｍ）における無限遠物体に合焦状態のレンズ断面図である。
【００１８】
図４はそれぞれ、数値実施例２の（ａ）広角端（焦点距離８．８ｍｍ）、（ｂ）ズーム中間（焦点距離１００ｍｍ）、（ｃ）望遠端（焦点距離１０２０．８ｍｍ）における無限遠物体に合焦状態の収差図である。
【００１９】
図５は、本発明の実施例３（数値実施例３）のズームレンズの広角端（焦点距離９．５ｍｍ）における無限遠物体に合焦状態のレンズ断面図である。
【００２０】
図６はそれぞれ、数値実施例３の（ａ）広角端（焦点距離９．５ｍｍ）、（ｂ）ズーム中間（焦点距離４０ｍｍ）、（ｃ）望遠端（焦点距離４３７ｍｍ）における無限遠物体に合焦状態の収差図である。
【００２１】
図７は、本発明の実施例４（数値実施例４）のズームレンズの広角端（焦点距離９．３ｍｍ）における無限遠物体の合焦状態のレンズ断面図である。
【００２２】
図８はそれぞれ、数値実施例４の（ａ）広角端（焦点距離９．３ｍｍ）、（ｂ）ズーム中間（焦点距離３５ｍｍ）、（ｃ）望遠端（焦点距離４４６．４ｍｍ）における無限遠の物体に合焦時の収差図である。
【００２３】
図９は、本発明の実施例５（数値実施例５）のズームレンズの広角端（焦点距離８．０ｍｍ）における無限遠物体の合焦状態におけるレンズ断面図である。
【００２４】
図１０それぞれ、数値実施例５の（ａ）広角端（焦点距離８．０ｍｍ）、（ｂ）ズーム中間（焦点距離６２．１６ｍｍ）、（ｃ）望遠端（焦点距離８８０ｍｍ）における無限遠の物体に合焦時の収差図である。
【００２５】
図１１は、本発明の撮像装置の要部概略図である。
図１２は、本発明のズームレンズの第２レンズ群の主点位置を示す説明図である。
【００２６】
各レンズ断面図において、左方が被写体（物体）側（前方）で、右方が像側（後方）である。レンズ断面図において、Ｕ１は合焦用レンズ群を含む正の屈折力を有する第１レンズ群である。Ｕ２は変倍用レンズ群を含む負の屈折力を有する第２レンズ群であり、光軸上を像側へ移動することにより、広角端から望遠端への変倍を行っている。Ｕ３は変倍用レンズ群を含む正の屈折力を有する第３レンズ群Ｕ３であり、光軸上を移動して広角端から望遠端への変倍を行っている。第２レンズ群Ｕ２と第３レンズ群Ｕ３で変倍系を構成している。
【００２７】
ここで、本発明においては、原則として、ズーミングに際して間隔が変化する隣接する光学面を以てレンズ群の境界を定義する。但し、第２レンズ群Ｕ２及び第３レンズ群Ｕ３については、以下の条件を満足する場合には、２つのサブレンズ群から構成されるものとし、２つのサブレンズ群から構成される場合には、合成焦点距離でそれぞれ、負、正である。
【００２８】
第２レンズ群については、第１レンズ群の像側に隣接して、物体側から像側へ順に配置された、第２１サブレンズ群Ｕ２１と第２２サブレンズ群Ｕ２２の広角端位置から望遠端位置までズーミング時のズームストローク量（移動量、変位量）をそれぞれｍ２１、ｍ２２として、
０．９０＜ｍ２１／ｍ２２＜１．１２  ・・・（１）
なる条件式を満たす場合は、第２レンズ群Ｕ２は第２１サブレンズ群Ｕ２１と第２２サブレンズ群Ｕ２２とから構成されるものとして扱う。その場合には、第２レンズ群の焦点距離（屈折力）は、第２１サブレンズ群Ｕ２１と第２２サブレンズ群Ｕ２２の合成焦点距離に基づいて評価する。
【００２９】
更に好ましくは、条件式（１）は次のごとく設定するとより好ましい。
０．９３＜ｍ２１／ｍ２２＜１．１０  ・・・（１ａ）
更に好ましくは、条件式（１ａ）は次のごとく設定するとより好ましい。
０．９６＜ｍ２１／ｍ２２＜１．０８  ・・・（１ｂ）
【００３０】
第３レンズ群については、第２レンズ群の像側に隣接して、物体側から像側へ順に配置された、第３１サブレンズ群Ｕ３１と第３２サブレンズ群Ｕ３２の広角端位置から望遠端位置までのズーミング時のズームストローク量（移動量、変位量）をそれぞれｍ３１、ｍ３２として、
０．９０＜ｍ３１／ｍ３２＜１．１２  ・・・（２）
なる条件式を満たす場合は、第３レンズ群Ｕ３は第３１サブレンズ群Ｕ３１と第３２サブレンズ群Ｕ３２とから構成されるものとして扱う。その場合には、第３レンズ群の焦点距離（屈折力）は、第３１サブレンズ群Ｕ３１と第３２サブレンズ群Ｕ３２の合成焦点距離に基づいて評価する。（２）式の関係を満たす移動群については各ズーム位置における群の収差敏感度や変倍分担が類似の傾向にある。公知の技術の中には、光軸方向と垂直に移動させて防振機能などを持たせるものもあるが、本発明では主に変倍比や広角化などの観点から、ズームレンズのパワー配置に関して（２）式による群分けを想定する。以下、第３レンズ群の諸元データについては上記のような群分けを想定して算出する。
【００３１】
更に好ましくは、条件式（２）は次のごとく設定するとより好ましい。
０．９３＜ｍ３１／ｍ３２＜１．１０  ・・・（２ａ）
更に好ましくは、条件式（２ａ）は次のごとく設定するのが良い。
０．９６＜ｍ３１／ｍ３２＜１．０８  ・・・（２ｂ）
【００３２】
ＳＰは絞り（開口絞り）である。Ｕ４は第３レンズ群Ｕ３や絞りを経た光束を受けて撮像面上で結像させる役割を担う第４レンズ群である。ＤＵは色分解プリズムや光学フィルター等であり、同図ではガラスブロックとして示している。ＩＰは撮像面であり、ズームレンズで形成された像を受け、光電変換する固体撮像素子（光電変換素子）の撮像面に相当している。
【００３３】
各実施例のズームレンズは、第４レンズ群の一部の光学部材の光路中からの退避に伴ってズームレンズの全系の焦点距離範囲を変位（シフト）させる、光路に対して挿抜可能なレンズユニット（エクステンダー）を有している。また、第４レンズ群の一部の光学部材を光軸に沿って移動させることにより、バックフォーカス調整の役割を担う機能を有することが可能である。前述した各実施例のズームレンズではズームレンズの高倍率化を良好な光学性能のもとに達成するのに適したズームタイプをとっている。
【００３４】
各実施例のズームレンズは、変倍用の負の屈折力の第２レンズ群Ｕ２や第３レンズ群Ｕ３を有し、変倍群を複数のレンズ群の移動によって構成する所謂多群ズーム方式と呼ばれるズームタイプを用いて高倍率化や良好な光学性能を容易に達成している。
【００３５】
縦収差図において、球面収差はｅ線（実線）、ｇ線（２点鎖線）を示している。非点収差はｅ線のメリディオナル像面（Ｍ：点線）とサジタル像面（Ｓ：実線）を示している。倍率色収差はｇ線（２点鎖線）によって表している。ＦｎｏはＦナンバー、ωは撮影半画角を表す。縦収差図では、球面収差は０．４ｍｍ、非点収差は０．４ｍｍ、歪曲は１０％、倍率色収差は０．０５ｍｍのスケールで描かれている。なお、以下の各実施例において広角端と望遠端は、変倍用の第２レンズ群Ｕ２或いは第２レンズ群Ｕ２を構成するサブユニットのいずれかが、機構に対して光軸上を移動可能な範囲の両端に位置したときのズーム位置を指す。
【００３６】
本発明のズームレンズの第１態様では、第２レンズ群Ｕ２は、物体側から像側へ順に、負の屈折力の第２１サブレンズ群Ｕ２１、第２２サブレンズ群Ｕ２２から構成され、最も物体側に負の屈折力の負レンズＬ２１を有している。また第３レンズ群は、物体側より像側へ順に、正の屈折力の第３１サブレンズ群Ｕ３１と第３２サブレンズ群Ｕ３２で構成されている。
【００３７】
第１態様においては、第１レンズ群Ｕ１の焦点距離をｆ１とし、第２レンズ群Ｕ２の焦点距離をｆ２とし、負レンズＬ２１の焦点距離をｆ２１とし、負レンズＬ２１の像面側のレンズ曲率半径をｒ２とし、第２レンズ群Ｕ２の広角端と望遠端における横倍率をそれぞれβ２ｗ、β２ｔとして、
−１８．０＜ｆ１／ｆ２＜−３．０  ・・・（３）
０．２＜ｆ２１／ｆ２＜３．６  ・・・（４）
−０．９５＜ｆ２１／ｒ２＜−０．２５  ・・・（５）
７．０＜β２ｔ／β２ｗ＜１２５．０  ・・・（６）
なる条件式を満たすことを特徴としている。
【００３８】
次に前述した各条件式の技術的意味について説明する。
条件式（３）〜（６）は、高性能な高倍率ズームレンズの広角化とレンズ系全体の小型軽量化を両立するためのものである。第１レンズ群Ｕ１と第２レンズ群Ｕ２のパワー比（第１レンズ群の焦点距離と第２レンズ群の焦点距離の比）やズーム比、及び、第２レンズ群Ｕ２の適切なレンズ構成の適切な範囲を規定している。
【００３９】
条件式（３）は、本発明のズームレンズの第１態様を構成する第１レンズ群Ｕ１と第２レンズ群Ｕ２の焦点距離の比を規定している。条件式（３）を満たすことで、特にズームレンズの望遠端焦点距離により長い焦点距離を実現するために最適な第１レンズ群Ｕ１と第２レンズ群Ｕ２のパワー比を設定することができる。条件式（３）の上限の条件を満たさないと、第１レンズ群Ｕ１の望遠側における収差補正が困難となる、または、第２レンズ群Ｕ２の変倍に必要なパワーが不足するため、ズームレンズの高倍率化が困難となる。条件式（３）の下限の条件を満たさないと、第２レンズ群Ｕ２のパワーが相対的に強くなり、第１レンズ群Ｕ１の小型軽量化と収差のズーム変動を抑制することが困難となる。
【００４０】
更に好ましくは、条件式（３）は次の如く設定するのが良い。
−１５．０＜ｆ１／ｆ２＜−３．６  ・・・（３ａ）
更に好ましくは、条件式（３ａ）は次の如く設定するのが良い。
−１３．５＜ｆ１／ｆ２＜−５．０  ・・・（３ｂ）
【００４１】
ここで、第１レンズ群Ｕ１は第２レンズ群Ｕ２よりも物体側に配置され、ズーミング中に撮像面からの距離が一定である群全体を指している。本発明における第１レンズ群は、第１レンズ群の一部又は全体を合焦時に移動させる機構を備えている。上記第１レンズ群Ｕ１の焦点距離ｆ１は、無限遠に合焦している状態での第１レンズ群Ｕ１の焦点距離のことである。
【００４２】
また、条件式（４）は、第２レンズ群Ｕ２全体の焦点距離に対する、第２レンズ群Ｕ２の最も物体側に配置された負の屈折力の負レンズＬ２１の焦点距離の比を規定している。条件式（４）を満たすことで、負レンズＬ２１に十分な負のパワーを持たせることが可能となり、第２レンズ群Ｕ２の物体側の主点位置を物体側へ効果的に押し出せるため、第１レンズ群Ｕ１の小型軽量化が容易になる。条件式（４）の上限の条件を満たさないと、負レンズＬ２１のパワーが相対的に弱くなるため、ズームレンズの広角化が困難となる。条件式（４）の下限の条件を満たさないと、第２レンズ群Ｕ２のパワーが相対的に弱くなるため、高倍率化を実現するために第２レンズ群Ｕ２のズームストロークが増大して、ズームレンズの小型軽量化が困難となる。
【００４３】
更に好ましくは、条件式（４）は次の如く設定するのが良い。
０．４＜ｆ２１／ｆ２＜３．２  ・・・（４ａ）
更に好ましくは、条件式（４ａ）は次の如く設定するのが良い。
０．６＜ｆ２１／ｆ２＜２．４  ・・・（４ｂ）
【００４４】
また、条件式（５）は、本発明のズームレンズを構成する第２レンズ群Ｕ２の最も物体側に配置された負の屈折力の負レンズＬ２１の焦点距離と、負レンズＬ２１の像側面の曲率半径ｒ２の関係を規定している。本発明におけるレンズの曲率半径とは、通常の球面レンズであれば数値実施例に記載されている曲率半径、所謂、近軸曲率半径Ｒを採用する。本発明の数値実施例中でｒとして記載している値である。非球面が施された面であれば、光軸上のレンズ面頂点位置と広角端で絞り開放時の瞳径における円と軸上光束の交点位置とから算出する参照曲率半径Ｒとする。このように定義することで負レンズＬ２１の近軸的なパワーを適切に算出することができる。
【００４５】
ここで、第２レンズ群の物体側主点位置を物体側へ押し出す効果について、図１２を用いて説明する。図１２中のＵ１は第１レンズ群Ｕ１、Ｕ２は第２レンズ群Ｕ２、Ｏ１２は第２レンズ群Ｕ２の物体側主点位置、ωは撮影半画角である。ズームレンズの広角化を図ると、第１レンズ群Ｕ１の物体側のレンズ有効径が増大する傾向がある。このとき、第２レンズ群Ｕ２の物体側主点位置Ｏ１２が図１２中の実線の位置にあると、第１レンズ群Ｕ１のレンズ有効径は実線の大きさが必要となる。
【００４６】
そこで、第２レンズ群Ｕ２の物体側主点位置Ｏ１２を図１２中の点線の位置まで押し出すと、同じ半画角ωを確保しても第１レンズ群Ｕ１の点線のレンズ有効径で達成することができる。実際はレンズ径の縮小に伴って、レンズ厚も薄くできるため、より一層の小型軽量化の効果を発揮することができる。よって、第２レンズ群Ｕ２の物体側主点位置を物体側へ押し出すことで、ズームレンズの広角化と小型軽量化を効果的に達成することができる。
【００４７】
条件式（５）を満たすことで、負レンズＬ２１の形状が主点を物体側へ十分に押し出すのに有利な形状となるため、ズームレンズの広角化と小型軽量化が容易になる。条件式（５）の上限の条件を満たさないと、相対的にｒ１の曲率半径が小さくなり、保持機構などの都合上、第１レンズ群Ｕ１と第２レンズ群Ｕ２の間隔を過剰に広く確保する必要があり、ズームレンズの広角化と小型軽量化の両立が困難となる。条件式（５）の下限の条件を満たさないと、負レンズＬ２１の負の屈折力が弱くなり、ズームレンズの広角化や小型軽量化が困難となる。
【００４８】
更に好ましくは、条件式（５）は次の如く設定するのが良い。
−０．９４＜ｆ２１／ｒ２＜−０．３０  ・・・（５ａ）
更に好ましくは、条件式（５ａ）は次の如く設定するのが良い。
−０．９３＜ｆ２１／ｒ２＜−０．５０  ・・・（５ｂ）
更に好ましくは、条件式（５ｂ）は次の如く設定するのが良い。
−０．９３＜ｆ２１／ｒ２＜−０．７８  ・・・（５ｃ）
【００４９】
また、条件式（６）は、本発明のズームレンズが広角端から望遠端まで変倍する上で第２レンズ群Ｕ２が担う変倍分担を規定している。条件式（６）を満たすことで、ズームレンズを小型軽量化と高倍率化を効率的に実現することが可能となる。条件式（６）の上限の条件を満たさないと、第２レンズ群Ｕ２が稼ぐ変倍比を達成するためのズームストロークやパワーが過剰に大きくなり、ズームレンズの小型軽量化や高性能化が困難となる。条件式（６）の下限の条件を満たさないと、第２レンズ群Ｕ２が稼ぐ変倍比が少な過ぎて、ズームレンズの高倍率化や広角化が困難となる。
【００５０】
更に好ましくは、条件式（６）は次の如く設定するのが良い。
８．５＜β２ｔ／β２ｗ＜８０．０  ・・・（６ａ）
更に好ましくは、条件式（６ａ）は次の如く設定するのが良い。
９．０＜β２ｔ／β２ｗ＜７５．０  ・・・（６ｂ）
更に好ましくは、条件式（６ｂ）は次の如く設定するのが良い。
１９．０＜β２ｔ／β２ｗ＜６５．０  ・・・（６ｃ）
【００５１】
更に、本発明の第１態様においては次の諸条件のうち１以上を満足するのが良い。
本発明の第１態様においては、上記第３２サブレンズ群Ｕ３２は正の屈折力を有し、第３２サブレンズ群Ｕ３２の焦点距離をｆ３２としたとき、
０．３＜ｆ３１／ｆ３２＜３．４  ・・・（７）
を満足することが好ましい。正の屈折力を有する第３レンズ群を正の屈折力の第３１サブレンズ群Ｕ３１と正の屈折力の第３２サブレンズ群Ｕ３２に分割することで、第３レンズ群としての合成パワーを効率的に強め、高倍率化が容易になる。条件式（７）の上限や下限の条件を満たさないと、相対的にいずれかの群のパワーが弱くなり、ズームレンズの小型軽量化や収差補正能力を十分に発揮することが困難となる。
【００５２】
更に好ましくは、条件式（７）は次の如く設定するのが良い。
０．３５＜ｆ３１／ｆ３２＜３．０  ・・・（７ａ）
更に好ましくは、条件式（７ａ）は次の如く設定するのが良い。
０．４＜ｆ３１／ｆ３２＜２．５  ・・・（７ｂ）
更に好ましくは、条件式（７ｂ）は次の如く設定するのが良い。
０．５＜ｆ３１／ｆ３２＜１．８  ・・・（７ｃ）
【００５３】
次に、本発明のズームレンズの第２態様について説明する。
本発明のズームレンズの第２態様では、物体側から像側へ順に、正の屈折力の第１レンズ群、負の屈折力の第２レンズ群、負の屈折力の第３レンズ群を有する。第１レンズ群はズームに際して像面との距離が不変で、第２レンズ群、第３レンズ群はズームに際して光軸上を移動する。第２レンズ群の最も物体側には負レンズＬ２１を有する。第１レンズ群の焦点距離をｆ１、第２レンズ群の焦点距離をｆ２、前記負レンズＬ２１の焦点距離をｆ２１、前記負レンズＬ２１の像面側曲率半径をｒ２とする。このとき、
−１８．０＜ｆ１／ｆ２＜−３．０  ・・・（８）
０．２＜ｆ２１／ｆ２＜３．６  ・・・（９）
−３．０＜ｆ２１／ｒ２＜−０．２５  ・・・（１０）
なる条件式を満たすことを特徴としている。
【００５４】
本発明のズームレンズの第２態様において、第１態様との主な違いは、第３レンズ群に負の屈折力のレンズ群を配置している点や、第３レンズ群がサブユニットへの分割を予め想定するものではない点である。第３レンズ群よりも像側に配置されるレンズ群中に光路中より挿抜可能であってズームレンズ全系の焦点距離を変位させるレンズユニットを有し得る点は共通である。
【００５５】
条件式（８）〜（１０）は、高性能な高倍率ズームレンズの広角化とレンズ系全体の小型軽量化を両立するためのものである。第１レンズ群Ｕ１と第２レンズ群Ｕ２のパワー比（第１レンズ群の焦点距離と第２レンズ群の焦点距離の比）やズーム比、及び、第２レンズ群Ｕ２の適切なレンズ構成の適切な範囲を規定している。
【００５６】
条件式（８）は、本発明のズームレンズの第２態様を構成する第１レンズ群Ｕ１と第２レンズ群Ｕ２の焦点距離の比を規定している。条件式（８）を満たすことで、特にズームレンズの望遠端焦点距離により長い焦点距離を実現するために最適な第１レンズ群Ｕ１と第２レンズ群Ｕ２のパワー比を設定することができる。条件式（８）の上限の条件を満たさないと、第１レンズ群Ｕ１の望遠側における収差補正が困難となる、または、第２レンズ群Ｕ２の変倍に必要なパワーが不足するため、ズームレンズの高倍率化が困難となる。条件式（８）の下限条件を満たさないと、第２レンズ群Ｕ２のパワーが相対的に強くなり、第１レンズ群Ｕ１の小型軽量化と収差のズーム変動を抑制することが困難となる。
【００５７】
更に好ましくは、条件式（８）は次の如く設定するのが良い。
−１５．０＜ｆ１／ｆ２＜−３．６  ・・・（８ａ）
更に好ましくは、条件式（８ａ）は次の如く設定するのが良い。
−１４．５＜ｆ１／ｆ２＜−４．０  ・・・（８ｂ）
更に好ましくは、条件式（８ｂ）は次の如く設定するのが良い。
−１３．５＜ｆ１／ｆ２＜−５．０  ・・・（８ｃ）
【００５８】
ここで、第１レンズ群Ｕ１は第２レンズ群Ｕ２よりも物体側に配置され、ズーミング中に撮像面からの距離が一定であるレンズ群全体を指している。本発明における第１レンズ群は、第１レンズ群の一部又は全体を合焦時に移動させる機構を備えている。第１レンズ群Ｕ１の焦点距離ｆ１は、無限遠に合焦している状態での第１レンズ群Ｕ１の焦点距離のことである。
【００５９】
また、条件式（９）は、第２レンズ群Ｕ２全体の焦点距離に対する、第２レンズ群Ｕ２の最も物体側に配置された負の屈折力の負レンズＬ２１の焦点距離の比を規定している。条件式（９）を満たすことで、負レンズＬ２１に十分な負のパワーを持たせることが可能となり、第２レンズ群Ｕ２の物体側の主点位置を物体側へ効果的に押し出せるため、第１レンズ群Ｕ１の小型軽量化が容易になる。条件式（９）の上限の条件を満たさないと、負レンズＬ２１のパワーが相対的に弱くなるため、ズームレンズの広角化が困難となる。条件式（９）の下限の条件を満たさないと、第２レンズ群Ｕ２のパワーが相対的に弱くなるため、高倍率化を実現するために第２レンズ群Ｕ２のズームストロークが増大して、ズームレンズの小型軽量化が困難となる。
【００６０】
更に好ましくは、条件式（９）は次の如く設定するのが良い。
０．４＜ｆ２１／ｆ２＜３．２  ・・・（９ａ）
更に好ましくは、条件式（９ａ）は次の如く設定するのが良い。
０．５＜ｆ２１／ｆ２＜２．８  ・・・（９ｂ）
更に好ましくは、条件式（９ｂ）は次の如く設定するのが良い。
０．６＜ｆ２１／ｆ２＜２．４  ・・・（９ｃ）
【００６１】
また、条件式（１０）は、本発明のズームレンズを構成する第２レンズ群Ｕ２の最も物体側に配置された負の屈折力の負レンズＬ２１の焦点距離と、負レンズＬ２１の像側面の曲率半径ｒ２の関係を規定している。本発明におけるレンズの曲率半径とは、通常の球面レンズであれば数値実施例に記載されている曲率半径、所謂、近軸曲率半径Ｒを採用する。本発明の数値実施例中でｒとして記載している値である。非球面が施された面であれば、光軸上のレンズ面頂点位置と広角端で絞り開放時の瞳径における円と軸上光束の交点位置とから算出する参照曲率半径Ｒとする。このように定義することで負レンズＬ２１の近軸的なパワーを適切に算出することができる。
【００６２】
条件式（１０）を満たすことで、負レンズＬ２１の形状が主点を物体側へ十分に押し出すのに有利な形状となるため、ズームレンズの広角化と小型軽量化が容易になる。条件式（１０）の上限の条件を満たさないと、相対的にｒ１の曲率半径が小さくなり、保持機構などの都合上、第１レンズ群Ｕ１と第２レンズ群Ｕ２の間隔を過剰に広く確保する必要があり、ズームレンズの広角化と小型軽量化の両立が困難となる。条件式（１０）の下限の条件を満たさないと、負レンズＬ２１の負の屈折力が弱くなり、ズームレンズの広角化や小型軽量化が困難となる。
【００６３】
更に好ましくは、条件式（１０）は次の如く設定するのが良い。
−２．５＜ｆ２１／ｒ２＜−０．２５  ・・・（１０ａ）
更に好ましくは、条件式（１０ａ）は次の如く設定するのが良い。
−２．０＜ｆ２１／ｒ２＜−０．３０  ・・・（１０ｂ）
更に好ましくは、条件式（１０ｂ）は次の如く設定するのが良い。
−０．９４＜ｆ２１／ｒ２＜−０．５０  ・・・（１０ｃ）
更に好ましくは、条件式（１０ｃ）は次の如く設定するのが良い。
−０．９３＜ｆ２１／ｒ２＜−０．７８  ・・・（１０ｄ）
【００６４】
更に、本発明の第２態様においては次の諸条件のうち１以上を満足するのが良い。
本発明のズームレンズの第２レンズ群Ｕ２の広角端と望遠端における横倍率をそれぞれβ２ｗ、β２ｔとするとき、
７．０＜β２ｔ／β２ｗ＜１２５．０  ・・・（１１）
なる条件を満足することが好ましい。条件式（１１）は、本発明のズームレンズが広角端から望遠端まで変倍する上で第２レンズ群Ｕ２が担う変倍分担を規定している。条件式（１１）を満たすことで、ズームレンズを小型軽量化と高倍率化を効率的に実現することが可能となる。条件式（１１）の上限の条件を満たさないと、第２レンズ群Ｕ２が稼ぐ変倍比を達成するためのズームストロークやパワーが過剰に大きくなり、ズームレンズの小型軽量化や高性能化が困難となる。条件式（１１）の下限の条件を満たさないと、第２レンズ群Ｕ２が稼ぐ変倍比が少な過ぎて、ズームレンズの高倍率化や広角化が困難となる。
【００６５】
更に好ましくは、条件式（１１）は次の如く設定するのが良い。
７．５＜β２ｔ／β２ｗ＜１００．０  ・・・（１１ａ）
更に好ましくは、条件式（１１ａ）は次の如く設定するのが良い。
８．５＜β２ｔ／β２ｗ＜８０．０  ・・・（１１ｂ）
更に好ましくは、条件式（１１ｂ）は次の如く設定するのが良い。
９．０＜β２ｔ／β２ｗ＜７５．０  ・・・（１１ｃ）
更に好ましくは、条件式（１１ｃ）は次の如く設定するのが良い。
１９．０＜β２ｔ／β２ｗ＜６５．０  ・・・（１１ｄ）
【００６６】
更に、本発明のズームレンズの第２態様において、負の屈折力を有する第３レンズ群を第３１サブレンズ群Ｕ３１と第３２サブレンズ群Ｕ３２に分割した時の第３１サブレンズ群Ｕ３１と第３２サブレンズ群Ｕ３２の焦点距離をそれぞれｆ３１、ｆ３２とするとき、
−０．３＜ｆ３１／ｆ３２＜−３．４  ・・・（１２）
なる条件式を満足することが好ましい。
【００６７】
本発明のズームレンズにおける第２態様では、第２レンズ群Ｕ２と第３レンズ群Ｕ３に連続して負の屈折力のレンズ群を配置するため、第３レンズ群のパワーは第１態様に比べて相対的に弱くなる。その第３レンズ群を分割する際に、焦点距離を同符号で分割して強め合せる必要が無く、むしろ異符号に分割して色収差をはじめとする諸収差の補正を分担させる方が高性能化に有利である。条件式（１２）の上限や下限の条件を満たさないと、第３１サブレンズ群Ｕ３１と第３２サブレンズ群Ｕ３２のパワーに偏りが生じ、ズームレンズの小型軽量化や収差補正能力を十分に発揮することが困難となる。
【００６８】
更に好ましくは、条件式（１２）は次の如く設定するのが良い。
−０．３５＜ｆ３１／ｆ３２＜−３．０  ・・・（１２ａ）
更に好ましくは、条件式（１２ａ）は次の如く設定するのが良い。
−０．４＜ｆ３１／ｆ３２＜−２．５  ・・・（１２ｂ）
更に好ましくは、条件式（１２ｂ）は次の如く設定するのが良い。
−０．５＜ｆ３１／ｆ３２＜−１．８  ・・・（１２ｃ）
【００６９】
更に、本発明において第１態様と第２態様においては次の諸条件のうち１以上を満足するのが良い。
【００７０】
負レンズＬ２１の物体側のレンズ面の曲率半径をｒ１、像側のレンズ面の曲率半径をｒ２とする。第２１レンズを構成する材料の屈折率をＮ２１、アッベ数をν２１、第２レンズ群Ｕ２に含まれる正の屈折力の第２ｐレンズを形成する材料の屈折力をＮ２ｐ、アッベ数をν２ｐとする。このとき、
０．４＜（ｒ１＋ｒ２）／（ｒ１−ｒ２）＜０．９７  ・・・（１３）
１．７５＜Ｎ２１＜２．３０  ・・・（１４）
１８＜ν２１＜５０  ・・・（１５）
１．７＜Ｎ２ｐ＜２．１  ・・・（１６）
１６＜ν２ｐ＜３０  ・・・（１７）
なる条件式を満たすことである。
【００７１】
条件式（１３）〜（１５）は、ズームレンズのより広角化とより高倍率化、小型軽量化を良好な光学性能のもとに達成するために最適な負レンズＬ２１の形状や材料の特性を規定している。
【００７２】
条件式（１３）は、本発明のズームレンズを構成する第２レンズ群Ｕ２の主点を押し出す上で理想的な第２１レンズの構成を規定している。条件式（１３）を満たすことで、第２１レンズに適切な屈折力を与えることが容易となり、ズームレンズの広角化と高倍率化を良好な光学性能のもとで両立させ、更に小型軽量化も効率的に実現することができる。条件式（１３）の上限の条件を満たさないと、第２１レンズの物体側のレンズ面の曲率半径が正で小さな値をもつようになるため、第２１レンズに適切な屈折力を与えることが困難となり、ズームレンズの広角化と小型軽量化が困難となる。条件式（１３）の下限の条件を満たさないと、第２１レンズの物体側のレンズ面の曲率半径が負で小さな値をもつようになり、レンズの外径部で第１レンズ群Ｕ１との干渉を避けるために必要な空気間隔が増すため、ズームレンズの小型軽量化が困難となる。
【００７３】
更に好ましくは、条件式（１３）は次の如く設定するのが良い。
０．５＜（ｒ１＋ｒ２）／（ｒ１−ｒ２）＜０．９４  ・・・（１３ａ）
更に好ましくは、条件式（１３ａ）は次の如く設定するのが良い。
０．６＜（ｒ１＋ｒ２）／（ｒ１−ｒ２）＜０．９２  ・・・（１３ｂ）
更に好ましくは、条件式（１３ｂ）は次の如く設定するのが良い。
０．６５＜（ｒ１＋ｒ２）／（ｒ１−ｒ２）＜０．８８  ・・・（１３ｃ）
【００７４】
また、条件式（１４）、（１５）は、負レンズＬ２１を形成する材料の屈折率とアッベ数を規定している。条件式（１４）を満たすことで、負レンズＬ２１に適切な屈折力と形状、色収差の補正能力を持たせることが可能となるため、ズームレンズの広角化と高倍率化、小型軽量化を良好な光学性能のもとで実現できる。条件式（１４）の上限の条件を満たさないと、第２レンズ群Ｕ２内の色消しを効果的に成立させる材料が入手困難となるため、ズームレンズを高倍率化したときの色収差補正が困難となる。条件式（１４）の下限の条件を満たさないと、負レンズＬ２１に適切な屈折力を確保することが困難となり、ズームレンズの広角化と小型軽量化が困難となる。
【００７５】
更に好ましくは、条件式（１４）は次の如く設定するのが良い。
０．８＜Ｎ２１＜２．２  ・・・（１４ａ）
更に好ましくは、条件式（１４ａ）は次の如く設定するのが良い。
１．８５＜Ｎ２１＜２．１５  ・・・（１４ｂ）
【００７６】
条件式（１５）の上限の条件を満たさないと、負レンズＬ２１に適切な屈折力を持たせることが困難となり、第２レンズ群Ｕ２の主点を物体側へ押し出すことが困難となる。逆に、条件式（１５）の下限の条件を満たさないと、色収差補正のためレンズ面の曲率が強くなり、小型軽量化が困難となる。
【００７７】
更に好ましくは、条件式（１５）は次の如く設定するのが良い。
２１＜ν２１＜４５  ・・・（１５ａ）
更に好ましくは、条件式（１５ａ）は次の如く設定するのが良い。
２３＜ν２１＜４３  ・・・（１５ｂ）
【００７８】
条件式（１６）、（１７）は、ズームレンズのより広角化とより高倍率化、小型軽量化を良好な光学性能のもとに達成するために最適な、第２レンズ群Ｕ２に含む正の屈折力を有する第２ｐレンズの材料に関する。なお、第２レンズ群Ｕ２中に正の屈折力を有するレンズが複数存在する場合は、そのどちらか一方、またはその両方を第２ｐレンズの対象として扱う。
【００７９】
条件式（１６）、（１７）は、本発明のズームレンズを構成する第２レンズ群Ｕ２において、第２ｐレンズを形成する材料の屈折率とアッベ数を規定している。条件式（１６）、（１７）を満たすことで、第２ｐレンズの屈折力と形状、色収差の補正能力が適切に設定できるため、広角化と高倍率化の両立と、小型軽量化を効率的に実現することができる。
【００８０】
条件式（１６）の上限の条件を満たさないと、第２ｐレンズの屈折力が強まり、第２レンズ群Ｕ２の負の屈折力を適切に保つために負レンズも屈折力が強まるためレンズ面の曲率がきつくなり、レンズの小型化が困難となる。条件式（１６）の下限の条件を満たさないと、第２ｐレンズに適切な屈折力を持たせることと、適切な色補正の能力を持たせることの両立が困難となり、レンズの高倍率化や小型軽量化が困難となる。
【００８１】
更に好ましくは、条件式（１６）は次の如く設定するのが良い。
１．７５＜Ｎ２ｐ＜２．００  ・・・（１６ａ）
更に好ましくは、条件式（１６ａ）は次の如く設定するのが良い。
１．７７＜Ｎ２ｐ＜１．９８  ・・・（１６ｂ）
【００８２】
条件式（１７）の上限の条件を満たさないと、第２ｐレンズに十分な色補正の能力を持たせることが困難となり、広角化や小型軽量化が困難となる。条件式（１７）の下限の条件を満たさないと、色消しを稼ぐためレンズ面の曲率が強くなり、小型軽量化が困難となる。
【００８３】
更に好ましくは、条件式（１７）は次の如く設定するのが良い。
１６．５＜ν２ｐ＜２７  ・・・（１７ａ）
更に好ましくは、条件式（１７ａ）は次の如く設定するのが良い。
１７＜ν２ｐ＜２５  ・・・（１７ｂ）
【００８４】
本発明の撮像装置では、各実施例のズームレンズと、ズームレンズによって形成された像を受光する所定の有効撮像範囲を有する固体撮像素子を有している。
【００８５】
このとき、ズームレンズの広角端の撮影半画角をωｗ、広角端における全系の焦点距離をｆｗ、望遠端における全系の焦点距離をｆｔとするとき、
１８＜ｆｔ／ｆｗ＜１５０  ・・・（１８）
５７．８＜２ωｗ＜７２．６  ・・・（１９）
なる条件式を満たすのがよい。
【００８６】
条件式（１８）、（１９）は、本発明によって得られる効果を発揮するのに適したズームレンズの倍率と広角端の撮影画角の範囲を規定している。これらの条件式（１８）、（１９）を外れる場合は、所望の仕様を達成する上でのズームレンズのレンズ構成やパワー配置が適切に選択されていない場合が考えられる。
【００８７】
更に好ましくは、条件式（１８）は次の如く設定するのが良い。
２１＜ｆｔ／ｆｗ＜１４０  ・・・（１８ａ）
更に好ましくは、条件式（１８ａ）は次の如く設定するのが良い。
２９＜ｆｔ／ｆｗ＜１３５  ・・・（１８ｂ）
【００８８】
更に好ましくは、条件式（１９）は次の如く設定するのが良い。
６１．３＜２ωｗ＜７１．１  ・・・（１９ａ）
更に好ましくは、条件式（１９ａ）は次の如く設定するのが良い。
６１．７＜２ωｗ＜７０．８  ・・・（１９ｂ）
【００８９】
更に、本発明の撮像装置は、各実施例のズームレンズとズームレンズによって形成された像を受光する所定の有効撮像範囲を有する固体撮像素子を有することを特徴とする。
【００９０】
以下に本発明のズームレンズの具体的な構成について、実施例１〜５に対応する数値実施例１〜５のレンズ構成の特徴により説明する。
【実施例１】
【００９１】
図１は本発明の実施例１（数値実施例１）であるズームレンズにおける（ａ）広角端（８．５ｍｍ）、（ｂ）ズーム中間（焦点距離１００ｍｍ）、（ｃ）望遠端（１０２０ｍｍ）のレンズ断面図である。図２は実施例１のズームレンズにおける（ａ）広角端（８．５ｍｍ）、（ｂ）ズーム中間（焦点距離１００ｍｍ）、（ｃ）望遠端（１０２０ｍｍ）の縦収差図を示している。いずれも無限遠物体に合焦状態のレンズ断面図や収差図である。また、焦点距離の値は、後述する数値実施例をｍｍ単位で表したときの値である。これは以下の数値実施例においても、全て同じである。
【００９２】
図１において、実施例１のズームレンズは物体側から順に、合焦用の正の屈折力の第１レンズ群Ｕ１を有している。更に、広角端から望遠端への変倍に際して、物体側から像側へ移動する変倍用の負の屈折力の第２レンズ群Ｕ２を有している。更に、広角端から望遠端への変倍に際して、像側から物体側へ移動する変倍用の正の屈折力の第３レンズ群Ｕ３を有している。第３レンズ群は、正の屈折力の第３１サブレンズ群Ｕ３１と正の屈折力の第３２サブレンズ群Ｕ３２で構成されている。実施例１では、第２レンズ群Ｕ２、第３レンズ群Ｕ３で変倍系を構成している。さらに、結像作用をする正の第４レンズ群Ｕ４を有している。ＳＰは開口絞りであり、第３レンズ群Ｕ３と第４レンズ群Ｕ４の間に配置されている。ＩＰは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００９３】
縦収差図において、球面収差における直線と二点鎖線は各々ｅ線、ｇ線である。非点収差における点線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は１０％、倍率色収差は０．１ｍｍのスケールで描かれている。なお、以下の各実施例において広角端と望遠端は、変倍用の第２レンズ群Ｕ２が機構に対して光軸上を移動可能な範囲の両端に位置したときのズーム位置を指す。
【００９４】
次に、数値実施例の面データとの対応について説明する。第１レンズ群Ｕ１は第１面から第１２面に対応する。第１面から第６面は合焦時に移動しない負の屈折力の第１１レンズ群Ｕ１１であり、第７面から第１２面は無限遠側から至近側への合焦時に像側から物体側へ移動する正の屈折力の第１２レンズ群Ｕ１２である。第１２レンズ群Ｕ１２はその一部が合焦駆動の軌跡を異とすることで、合焦駆動中の収差変動を改善することができる所謂フローティングフォーカス形式を採用しても良い。第２レンズ群Ｕ２は、第１３面から第１９面に対応する。実施例１における負レンズＬ２１は、第１３〜１４面に対応する。第３レンズ群Ｕ３は、第２０面から第３０面に対応する。第３レンズ群Ｕ３は、第２０面から第２５面からなる第３１サブレンズ群Ｕ３１と、第２６面から第３０面からなる第３２サブレンズ群Ｕ３２からなる。開口絞りは第３１面に対応する。第４レンズ群Ｕ４は、第３２面から第５３面に対応する。第５４面から第５６面は色分解光学系光などに相当するダミーガラスである。
【００９５】
第２レンズ群Ｕ２はガラス材より成る４つのレンズで構成されている。第２レンズ群Ｕ２は、物体側から像側へ順に、両凹形状の負の屈折力の負レンズＬ２１と、両凹形状の負の屈折力の第２２レンズＬ２２と両凸形状の正の屈折力の第２３レンズＬ２３とを接合した接合レンズと、像側の面が凸でメニスカス形状の負の屈折力の第２４レンズＬ２４で構成されている。負レンズＬ２１の物体側のレンズ面は凹面で、レンズの物体側主点を物体側へ押し出すことで小型軽量化に有利な形状となっている。また、負レンズＬ２１の物体側のレンズ面は非球面を採用しており、広角化によって増大しやすい歪曲や像面などの収差を抑制している。また、本実施例では、負の屈折力の第２２レンズＬ２２と正の屈折力の第２３レンズＬ２３を接合しているが、第２レンズ群Ｕ２として適切な屈折力や色収差補正能力を有していれば、接合でなく分離していてもよい。実施例１の第２レンズ群Ｕ２はズーミング中に軌跡の異なるサブユニットには分離していない形態であるが、ズーム中間の収差変動などを補正するために、第２レンズ群を上述の（２）式を満足する第２１サブレンズ群Ｕ２１と第２２サブレンズ群Ｕ２２から構成するようにして、僅かに軌跡を変えて移動する２つのサブレンズ群から構成されるようにしても構わない。これらは本発明においてレンズ形状や構成としての変形及び変更の想定内であり、以下全ての実施例においても同様である。
【００９６】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉ、θｇＦｉは、第ｉ番目の面と第ｉ＋１番目の面との間の媒質（光学部材）の屈折率、アッベ数、部分分散比を、ＢＦは空気換算のバックフォーカスを表している。焦点距離は波長e線における各レンズの焦点距離を表している。焦点距離の欄に0.000と記載のある面は所謂ノンパワーであることを示している。非球面形状は光軸方向にＸ軸、光軸と垂直方向にＨ軸、光の進行方向を正とし、Ｒを近軸曲率半径、ｋを円錐常数、Ａ３〜Ａ１６をそれぞれ非球面係数としたとき、次式で表している。また、「ｅ−Ｚ」は「×１０−Ｚ」を意味する。
【数１】
2019148760.tif 000003
【００９７】
本実施例の各条件式対応値を表１に示す。本実施例は（３）〜（７）及び（１３）〜（１９）式を適宜満足しており、特に第２レンズ群のレンズ構成や屈折力、硝材を適切に設定することで、広画角、高ズーム比、小型軽量で全ズーム範囲に渡り高い光学性能を有したズームレンズを達成している。しかしながら、本発明のズームレンズは、（３）〜（６）式を満足することは必須であるが、（７）及び（１３）〜（１９）式については満足していなくても構わない。但し、（７）及び（１３）〜（１９）式について少なくとも１つでも満足していれば更に良い効果を奏することができる。これは実施例２についても同様である。
【００９８】
図１１は各実施例のズームレンズを撮影光学系として用いた撮像装置（テレビカメラシステム）の概略図である。図１１において１０１は実施例１〜５のいずれかのズームレンズである。２０１はカメラである。ズームレンズ１０１はカメラ２０１に対して着脱可能となっている。３０１はカメラ２０１にズームレンズ１０１を装着することで構成される撮像装置である。ズームレンズ１０１は第１レンズ群Ｆ、変倍部Ｖ、結像用の後群Ｒを有している。第１レンズ群Ｆは合焦用レンズ群が含まれている。変倍部Ｖは変倍のために光軸上を移動する第２レンズ群や第３レンズ群が含まれている。ＳＰは開口絞りである。１０２、１０３は各々第１レンズ群Ｆ、変倍部Ｖを光軸方向に駆動するヘリコイドやカム等の駆動機構である。１０５、１０６、１０７は駆動機構１０２、１０３及び開口絞りＳＰを電動駆動するモータ（駆動手段）である。１０９、１１０、１１１は、第１レンズ群Ｆや変倍部Ｖの光軸上の位置や、開口絞りＳＰの絞り径を検出するためのエンコーダやポテンショメータ、あるいはフォトセンサ等の検出器である。カメラ２０１において、２０２はカメラ２０１内の光学フィルタや色分解光学系に相当するガラスブロック、２０３はズームレンズ１０１によって形成された被写体像を受けるＣＣＤセンサやＣＭＯＳセンサ等の固体撮像素子（光電変換素子）である。また、２０４、１１３はカメラ２０１及びズームレンズ１０１の各種の駆動を制御するＣＰＵである。
【００９９】
このように、本発明のズームレンズをテレビカメラに適用することにより、高い光学性能を有する撮像装置を実現している。
【実施例２】
【０１００】
図３は本発明の実施例２（数値実施例２）であるズームレンズにおける（ａ）広角端（８．８ｍｍ）、（ｂ）ズーム中間（焦点距離１００ｍｍ）、（ｃ）望遠端（１０２０．８ｍｍ）のレンズ断面図である。図４は、実施例２のズームレンズにおける（ａ）広角端（８．８ｍｍ）、（ｂ）ズーム中間（焦点距離１００ｍｍ）、（ｃ）望遠端（１０２０．８ｍｍ）の縦収差図を示している。いずれも無限遠物体に合焦状態のレンズ断面図や収差図である。
【０１０１】
図３において、実施例２のズームレンズは物体側から順に、合焦用の正の屈折力の第１レンズ群Ｕ１を有している。更に、広角端から望遠端への変倍に際して、物体側から像側へ移動する変倍用の負の屈折力の第２レンズ群Ｕ２を有している。第２レンズ群Ｕ２は、負の屈折力の第２１サブレンズ群Ｕ２１と負の屈折力の第２２サブレンズ群Ｕ２２を有している。更に、広角端から望遠端への変倍に際して移動する正の屈折力の第３レンズ群Ｕ３を有している。第３レンズ群Ｕ３は、正の屈折力の第３１サブレンズ群Ｕ３１と正の屈折力の第３２サブレンズ群Ｕ３２を有している。実施例２では、第２レンズ群Ｕ２、第３レンズ群Ｕ３で変倍系を構成している。さらに、結像作用をする正の第４レンズ群Ｕ４を有している。ＳＰは開口絞りであり、第３レンズ群Ｕ３と第４レンズ群Ｕ４の間に配置されている。
【０１０２】
次に、数値実施例の面データとの対応について説明する。第１レンズ群Ｕ１は第１面から第１４面に対応する。第１レンズ群Ｕ１は、第１面から第６面からなる合焦時に移動しない負の屈折力の第１１レンズ群Ｕ１１と、第７面から第１２面からなる無限遠側から至近側への合焦時に像側から物体側へ移動する正の屈折力の第１２レンズ群Ｕ１２と、第１３面から第１４面からなる無限遠側から至近側への合焦時に像側から物体側へ移動する正の屈折力の第１３レンズ群Ｕ１３からなる。第２レンズ群Ｕ２は、第１５面から第２１面に対応する。第２レンズ群Ｕ２は、第１５面から第１６面の第２１サブレンズ群Ｕ２１と、第１７面から第２１面の第２２サブレンズ群Ｕ２２からなる。実施例２における第２１レンズＬ２１は第１５〜１６面に対応する。第３レンズ群Ｕ３は、第２２面から第３２面に対応する。第３レンズ群Ｕ３は、第２２面から第２３面からなる第３１サブレンズ群Ｕ３１と、第２４面から第３２面からなる第３２サブレンズ群Ｕ３２からなる。開口絞りは第３３面に対応する。第４レンズ群Ｕ４は、第３４面から第５５面に対応する。第５６面から第５８面は色分解光学系光などに相当するダミーガラスである。
【０１０３】
本実施例の各条件式対応値を表１に示す。本実施例は（３）〜（７）及び（１３）〜（１９）式を適宜満足しており、特に第２レンズ群のレンズ構成や屈折力、硝材を適切に設定することで、広画角、高ズーム比、小型軽量で全ズーム範囲に渡り高い光学性能を有したズームレンズを達成している。
【実施例３】
【０１０４】
図５は本発明の実施例３（数値実施例３）であるズームレンズにおける（ａ）広角端（９．５ｍｍ）、（ｂ）ズーム中間（焦点距離４０ｍｍ）、（ｃ）望遠端（４３７ｍｍ）のレンズ断面図である。図６は実施例３のズームレンズにおける（ａ）広角端（９．５ｍｍ）、（ｂ）ズーム中間（焦点距離１００ｍｍ）、（ｃ）望遠端（１０２０．８ｍｍ）の縦収差図を示している。いずれも無限遠物体に合焦状態のレンズ断面図や収差図である。
【０１０５】
図５において、実施例３のズームレンズは物体側から順に、合焦用の正の屈折力の第１レンズ群Ｕ１を有している。更に、広角端から望遠端への変倍に際して、物体側から像側へ移動する変倍用の負の屈折力の第２レンズ群Ｕ２を有している。第２レンズ群Ｕ２１は、負の屈折力の第２１サブレンズ群Ｕ２１と正の屈折力の第２２サブレンズ群Ｕ２２を有している。更に、変倍に際して光軸上を非線形的に移動する負の屈折力の第３レンズ群Ｕ３を有している。実施例３では、第２レンズ群Ｕ２と第３レンズ群Ｕ３で変倍系を構成している。さらに、結像作用をする正の第４レンズ群Ｕ４を有している。ＳＰは開口絞りであり、第３レンズ群Ｕ３と第４レンズ群Ｕ４の間に配置されている。
【０１０６】
次に、数値実施例の面データとの対応について説明する。第１レンズ群Ｕ１は第１面から第１０面に対応する。第１レンズ群Ｕ１は、第１面から第４面からなる合焦時に移動しない負の屈折力の第１１レンズ群Ｕ１１と、第５面から第１０面からなる無限遠側から至近側への合焦時に像側から物体側へ移動する正の屈折力の第１２レンズ群Ｕ１２とからなる。第２レンズ群Ｕ２は、第１１面から第１９面に対応する。第２レンズ群Ｕ２は、第１１面から第１５面からなる第２１サブレンズ群Ｕ２１と、第１６面から第１９面からなる第２２サブレンズ群Ｕ２２からなる。実施例３における第２１レンズＬ２１は第１１面から１２面に対応する。第３レンズ群Ｕ３は、第２０面から第２２面に対応する。開口絞りは第２３面に対応する。第４レンズ群Ｕ４は、第２４面から第４４面に対応する。第４５面から第４７面は色分解光学系光などに相当するダミーガラスである。
【０１０７】
本実施例の各条件式対応値を表１に示す。本実施例は（か）〜（１２）及び（１３）〜（１９）式を満足しており、特に第２レンズ群のレンズ構成や屈折力、硝材を適切に設定することで、広画角、高ズーム比、小型軽量で全ズーム範囲に渡り高い光学性能を有したズームレンズを達成している。しかしながら、本発明のズームレンズは、（か）〜（１０）式を満足することは必須であるが、（１１）〜（１２）及び（１３）〜（１９）式については満足していなくても構わない。但し、（１１）〜（１２）及び（１３）〜（１９）式について少なくとも１つでも満足していれば更に良い効果を奏することができる。これは実施例４についても同様である。
【実施例４】
【０１０８】
図７は本発明の実施例４（数値実施例４）であるズームレンズにおける（ａ）広角端（９．３ｍｍ）、（ｂ）ズーム中間（焦点距離３５ｍｍ）、（ｃ）望遠端（４４６．４ｍｍ）のレンズ断面図である。図８は実施例４のズームレンズにおける（ａ）広角端（９．３ｍｍ）、（ｂ）ズーム中間（焦点距離３５ｍｍ）、（ｃ）望遠端（４４６．４ｍｍ）の縦収差図を示している。いずれも無限遠物体に合焦状態のレンズ断面図や収差図である。
【０１０９】
図７において、実施例４のズームレンズは物体側から順に、合焦用の正の屈折力の第１レンズ群Ｕ１を有している。更に、広角端から望遠端への変倍に際して、物体側から像側へ移動する変倍用の負の屈折力の第２レンズ群Ｕ２を有している。第２レンズ群Ｕ２１は、負の屈折力の第２１サブレンズ群Ｕ２１と負の屈折力の第２２サブレンズ群Ｕ２２を有している。更に、変倍に際して光軸上を非線形的に移動する負の屈折力の第３レンズ群Ｕ３を有している。更に、変倍に際して光軸上を非線形的に移動する正の屈折力の第４レンズ群Ｕ４を有している。実施例４では、第２レンズ群Ｕ２と第３レンズ群Ｕ３と第４レンズ群Ｕ４で変倍系を構成している。さらに、結像作用をする正の第５レンズ群Ｕ５を有している。ＳＰは開口絞りであり、第４レンズ群Ｕ４と第５レンズ群Ｕ５の間に配置されている。
【０１１０】
次に、数値実施例の面データとの対応について説明する。第１レンズ群Ｕ１は第１面から第１０面に対応する。第１レンズ群Ｕ１は、第１面から第４面からなる合焦時に移動しない正の屈折力の第１１レンズ群Ｕ１１と、第５面から第１０面からなる無限遠側から至近側への合焦時に像側から物体側へ移動する正の屈折力の第１２レンズ群Ｕ１２とからなる。第２レンズ群Ｕ２は、第１１面から第１８面に対応する。第２レンズ群Ｕ２は、第１１面から第１６面からなる第２１サブレンズ群Ｕ２１と、第１７面から第１８面からなる第２２サブレンズ群Ｕ２２からなる。実施例４における負レンズＬ２１は第１１面から１２面に対応し、両面に非球面形状が施してある。第３レンズ群Ｕ３は、第１９面から第２１面に対応する。第４レンズ群Ｕ４は、第２２面から第２５面に対応する。開口絞りは第２６面に対応する。第５レンズ群Ｕ５は、第２７面から第４２面に対応する。第４３面から第４５面は色分解光学系光などに相当するダミーガラスである。
【０１１１】
本実施例の各条件式対応値を表１に示す。本実施例は（か）〜（１２）及び（１３）〜（１９）式を満足しており、特に第２レンズ群のレンズ構成や屈折力、硝材を適切に設定することで、広画角、高ズーム比、小型軽量で全ズーム範囲に渡り高い光学性能を有したズームレンズを達成している。
【実施例５】
【０１１２】
図９は本発明の実施例５（数値実施例５）であるズームレンズにおける（ａ）広角端（８．０ｍｍ）、（ｂ）ズーム中間（焦点距離６１．９ｍｍ）、（ｃ）望遠端（８８０．０ｍｍ）のレンズ断面図である。図１０は、実施例５のズームレンズにおける（ａ）広角端（８．０ｍｍ）、（ｂ）ズーム中間（焦点距離６１．９ｍｍ）、（ｃ）望遠端（８８０．０ｍｍ）の縦収差図を示している。いずれも無限遠物体に合焦状態のレンズ断面図や収差図である。
【０１１３】
図９において、実施例５のズームレンズは物体側から順に、合焦用の正の屈折力の第１レンズ群Ｕ１を有している。更に、広角端から望遠端への変倍に際して、物体側から像側へ移動する変倍用の負の屈折力の第２レンズ群Ｕ２を有している。更に、広角端から望遠端への変倍に際して移動する正の屈折力の第３レンズ群Ｕ３を有している。第３レンズ群Ｕ３は、正の屈折力の第３１サブレンズ群Ｕ３１と正の屈折力の第３２サブレンズ群Ｕ３２を有している。実施例５では、第２レンズ群Ｕ２、第３レンズ群Ｕ３で変倍系を構成している。さらに、結像作用をする正の第４レンズ群Ｕ４を有している。ＳＰは開口絞りであり、第３レンズ群Ｕ３と第４レンズ群Ｕ４の間に配置されている。
【０１１４】
次に、数値実施例の面データとの対応について説明する。第１レンズ群Ｕ１は第１面から第１２面に対応する。第１レンズ群Ｕ１は、第１面から第６面からなる合焦時に移動しない負の屈折力の第１１レンズ群Ｕ１１と、第７面から第１２面からなる無限遠側から至近側への合焦時に像側から物体側へ移動する正の屈折力の第１２レンズ群Ｕ１２からなる。第２レンズ群Ｕ２は、第１３面から第２２面に対応する。実施例５における負レンズＬ２１は第１５〜１６面に対応し、物体側面ｒ１に非球面を有する。第３レンズ群Ｕ３は、第２２面から第３１面に対応する。第３レンズ群Ｕ３は、第２３面から第２４面からなる第３１サブレンズ群Ｕ３１と、第２５面から第３１面からなる第３２サブレンズ群Ｕ３２からなる。開口絞りは第３２面に対応する。第４レンズ群Ｕ４は、第３３面から第５５面に対応する。第５６面から第５８面は色分解光学系光などに相当するダミーガラスである。
【０１１５】
本実施例の各条件式対応値を表１に示す。本実施例は（３）〜（７）及び（１３）〜（１９）式を適宜満足しており、特に第２レンズ群のレンズ構成や屈折力、硝材を適切に設定することで、広画角、高ズーム比、小型軽量で全ズーム範囲に渡り高い光学性能を有したズームレンズを達成している。
【０１１６】
以上、本発明の好ましい実施形態について説明したが、本発明はこれらの実施形態に限定されず、その要旨の範囲内で種々の変形及び変更が可能である。
【０１１７】
＜数値実施例１＞
単位 mm
面データ
面番号      r         d        nd        vd       θgF    焦点距離
1    -2942.18811   6.00000  1.834810   42.74    0.5648   -358.417
2      335.45859   1.80000                                       
3      335.06633  23.70767  1.433870   95.10    0.5373    588.078
4    -1057.92901   0.20000                                       
5      525.29863  14.68252  1.433870   95.10    0.5373    995.955
6    -2449.90453  25.25075                                       
7      377.04224  20.53079  1.433870   95.10    0.5373    681.715
8    -1365.49684   0.25000                                       
9      306.95406  16.15620  1.433870   95.10    0.5373    856.440
10     1716.23164   1.49946                                       
11      188.24393  16.19337  1.438750   94.66    0.5340    776.951
12      408.07756    (可変)                                       
13     -532.82374   2.20000  2.003300   28.27    0.5980    -35.106
14       38.13165  11.72245                                       
15      -44.54614   1.45000  1.743198   49.34    0.5531    -36.767
16       72.56546   9.77415  1.892860   20.36    0.6393     32.645
17      -46.48441   1.62858                                       
18      -41.75805   2.00000  1.882997   40.76    0.5667    -65.283
19     -152.60813    (可変)                                       
20      152.33559  11.49260  1.729157   54.68    0.5444    133.769
21     -265.71450   6.61910                                       
22      139.88768  13.50202  1.438750   94.66    0.5340    205.022
23     -246.30392   0.49825                                       
24      264.09410   2.60000  1.854780   24.80    0.6122   -179.267
25       97.10593    (可変)                                       
26       86.50601  15.38886  1.496999   81.54    0.5375    129.181
27     -236.96933   0.50000                                       
28      415.87662   2.50000  1.805181   25.42    0.6161   -258.974
29      139.36202   7.84908  1.603112   60.64    0.5415    195.306
30     -764.20052    (可変)                                       
31        (絞り)    5.45833                                       
32     -100.58829   1.40000  1.882997   40.76    0.5667    -37.583
33       50.28488   1.36347                                       
34       40.81657   3.59528  1.922860   18.90    0.6495     73.660
35       96.04198   4.18687                                       
36      -79.86582   1.70000  1.804000   46.53    0.5577   -334.481
37     -114.43939   7.69473                                       
38      447.23261   1.50000  1.804000   46.53    0.5577    -48.910
39       36.26082   4.29014  1.846660   23.87    0.6205     54.487
40      154.67305   4.70815                                       
41      -40.89612   1.50000  1.891900   37.13    0.5780    -32.225
42      100.53116   8.12196  1.516330   64.14    0.5353     45.339
43      -29.81855  12.96157                                       
44       95.10916   5.83122  1.517417   52.43    0.5564     75.782
45      -65.82347   1.39999                                       
46     -142.70016   1.50000  1.882997   40.76    0.5667    -33.622
47       37.95063   7.64407  1.487490   70.23    0.5300     54.962
48      -86.09780   0.20000                                       
49      111.79843   7.62511  1.517417   52.43    0.5564     52.636
50      -35.37773   1.50000  1.882997   40.76    0.5667    -59.834
51     -107.94732   0.20000                                       
52       90.09429   7.67048  1.539956   59.46    0.5441     63.279
53      -53.74072  10.00000                                       
54          ∞     33.00000  1.608590   46.44    0.5664      0.0000
55          ∞     13.20000  1.516330   64.15    0.5352      0.0000
56          ∞     13.30000                                       
像面         ∞   
【０１１８】
非球面データ
第13面
K = 1.99852e+000  A 4= 1.15677e-006  A 6=-2.75064e-008  A 8=-3.06848e-010  
A10= 9.10515e-013  A12= 3.28486e-015  A14= 1.35261e-018  A16= 5.54400e-022  
A 3= 2.74335e-007  A 5= 9.95673e-008  A 7= 4.02226e-009  A 9= 6.12079e-012  
A11=-8.52506e-014  A13=-6.85632e-017  A15=-3.84859e-020  
第21面
K = 1.21093e+001  A 4= 2.82183e-007  A 6=-5.59441e-011  A 8=-2.00796e-014  
A10= 9.78964e-017  A12=-6.30815e-020  A14= 1.70834e-023  A16=-4.73901e-027  
A 3=-2.90901e-008  A 5= 1.58196e-009  A 7= 1.10620e-012  A 9=-1.50730e-015  
A11= 5.86871e-020  A13= 1.04584e-022  A15= 1.44467e-025  
第30面
K =-2.23400e+002  A 4= 2.77687e-007  A 6= 4.69555e-010  A 8= 1.39733e-013  
A10=-2.98156e-016  A12= 4.58582e-019  A14=-2.25443e-022  A16= 5.80568e-026  
A 3= 1.70768e-007  A 5=-5.73181e-009  A 7=-1.36230e-011  A 9= 7.92918e-015  
A11=-8.14405e-018  A13= 2.06016e-021  A15=-8.57551e-025  
各種データ
ズーム比    120.00 
広角     中間     望遠
焦点距離       8.50   100.00  1020.00  
Fナンバー      1.75     1.75     5.30  
画角          32.91     3.15     0.31  
レンズ全長   677.55   677.55   677.55  
d12            3.47   154.53   194.08  
d19          289.33    96.93     2.00  
d25            4.21    10.31     4.50  
d30            2.99    38.24    99.42  
入射瞳位置   133.62   1087.74   14063.25  
射出瞳位置   166.67   166.67      166.67  
前側主点位置 142.60   1252.93   21866.59  
後側主点位置   4.80   -86.70    -1006.70  
ズームレンズ群データ
群  始面    焦点距離  レンズ構成長  前側主点位置  後側主点位置
1     1     251.50       126.27        72.69        -19.27
2    13     -24.07        28.78         3.62        -16.98
3    20      71.71        65.16        17.97        -32.27
(31   20     134.62        34.71        -5.03        -27.55)
(32   26     112.37        26.24         4.27        -13.07)
4    31      42.11       148.25        58.68         17.53
単レンズデータ
レンズ  始面  焦点距離
1       1   -358.42
2       3    588.08
3       5    995.95
4       7    681.71
5       9    856.44
6      11    776.95
7      13    -35.11
8      15    -36.77
9      16     32.64
10      18    -65.28
11      20    133.77
12      22    205.02
13      24   -179.27
14      26    129.18
15      28   -258.97
16      29    195.31
17      32    -37.58
18      34     73.66
19      36   -334.48
20      38    -48.91
21      39     54.49
22      41    -32.23
23      42     45.34
24      44     75.78
25      46    -33.62
26      47     54.96
27      49     52.64
28      50    -59.83
29      52     63.28
30      54      0.00
31      55      0.00
【０１１９】
＜数値実施例２＞
単位 mm
面データ
面番号      r         d        nd        vd       θgF   焦点距離
1    -1061.37564   6.00000  1.788001   47.37    0.5559   -390.733
2      437.88370   2.00000                                       
3      446.06598  23.92188  1.433870   95.10    0.5373    601.511
4     -622.49493   0.19890                                       
5      915.30360   6.00000  1.850259   32.27    0.5929  -2140.254
6      608.63429   1.00000                                       
7      471.99209  19.57807  1.433870   95.10    0.5373    710.692
8     -884.56718  24.97986                                       
9      404.12448  19.24764  1.433870   95.10    0.5373    735.565
10    -1513.72254   0.25000                                       
11      295.70647  15.37006  1.433870   95.10    0.5373    912.821
12     1140.36416   1.49921                                       
13      176.82815  17.53882  1.438750   94.66    0.5340    708.678
14      396.25334    (可変)                                       
15     -265.90829   2.20000  2.003300   28.27    0.5980    -34.459
16       40.28905    (可変)                                       
17      -48.69408   1.45000  1.743198   49.34    0.5531    -37.052
18       64.90157  10.15625  1.892860   20.36    0.6393     31.409
19      -46.65078   0.94977                                       
20      -43.70695   2.00000  1.882997   40.76    0.5667    -60.575
21     -238.00409    (可変)                                       
22      245.70301   9.91935  1.729157   54.68    0.5444    166.130
23     -236.88071    (可変)                                       
24      103.55182  17.39977  1.438750   94.66    0.5340    156.020
25     -193.03075   1.05104                                       
26      252.55381   2.60000  1.854780   24.80    0.6122   -196.136
27      100.85362   1.00000                                       
28       95.22728  13.03743  1.496999   81.54    0.5375    158.218
29     -438.07745   2.50000  1.854780   24.80    0.6122   -276.124
30      523.78139   0.20000                                       
31      180.13422   8.54326  1.603112   60.64    0.5415    187.177
32     -300.14000    (可変)                                       
33        (絞り)    5.52545                                       
34     -107.41243   1.40000  1.882997   40.76    0.5667    -42.397
35       58.33624   0.49984                                       
36       40.86521   3.81080  1.922860   18.90    0.6495     78.513
37       88.11073   5.44329                                       
38      -54.21473   1.70000  1.804000   46.53    0.5577   -226.438
39      -78.11945   7.02652                                       
40       93.33051   1.50000  1.804000   46.53    0.5577    -72.878
41       35.84895   4.89868  1.846660   23.87    0.6205     73.045
42       78.85313   5.49000                                       
43      -54.59995   1.50000  1.891900   37.13    0.5780    -35.855
44       79.40629   8.36701  1.516330   64.14    0.5353     44.402
45      -31.23562  11.32613                                       
46      336.41962   3.58796  1.517417   52.43    0.5564    499.848
47    -1136.62512   2.00000                                       
48     5113.58495   1.50000  1.882997   40.76    0.5667    -40.183
49       35.43620  10.23202  1.487490   70.23    0.5300     53.262
50      -89.05834   0.20000                                       
51       81.01290   7.80550  1.517417   52.43    0.5564     50.353
52      -37.38744   1.50000  1.882997   40.76    0.5667    -65.032
53     -108.00852   0.20000                                       
54       98.80813   6.54950  1.539956   59.46    0.5441     63.248
55      -51.28636  10.00000                                       
56          ∞     33.00000  1.608590   46.44    0.5664      0.0000
57          ∞     13.20000  1.516330   64.15    0.5352      0.0000
58          ∞     13.29000                                       
像面         ∞
【０１２０】
非球面データ
第15面
K =-2.00000e+000  A 4= 1.26593e-006  A 6=-2.67796e-008  A 8=-3.03007e-010  
A10= 8.75925e-013  A12= 3.31947e-015  A14= 1.36796e-018  A16= 5.79644e-022  
A 3=-4.12865e-007  A 5= 8.74667e-008  A 7= 3.94668e-009  A 9= 6.37487e-012  
A11=-8.43915e-014  A13=-7.03012e-017  A15=-3.91084e-020  
第23面
K = 1.60380e+001  A 4= 1.88802e-007  A 6=-4.95211e-011  A 8=-1.59588e-014  
A10= 9.82595e-017  A12=-1.39189e-019  A14= 1.45831e-023  A16=-3.70179e-027  
A 3= 1.48240e-008  A 5= 2.30878e-009  A 7= 1.81659e-012  A 9=-2.39785e-015  
A11= 2.10561e-018  A13= 1.20846e-021  A15= 3.43940e-026  
第31面
K =-3.11813e+000  A 4=-3.88068e-007  A 6=-1.19018e-010  A 8=-4.23032e-013  
A10=-3.17181e-016  A12=-2.58822e-019  A14= 2.86962e-022  A16=-3.93678e-026  
A 3= 3.18532e-007  A 5= 5.35389e-009  A 7= 1.56885e-012  A 9= 1.95280e-014  
A11= 9.95417e-018  A13=-7.08697e-021  A15=-3.08479e-025  
各種データ
ズーム比    116.00 
広角     中間     望遠
焦点距離       8.80   100.00  1020.80  
Fナンバー      1.75     1.75     5.30  
画角          32.01     3.15     0.31  
レンズ全長   681.25   681.25   681.25  
d14            3.87   150.98   188.46  
d16           10.21    10.05    10.03  
d21          284.02   100.73     2.00  
d23            8.00     9.60     8.27  
d32            2.99    37.74   100.33  
入射瞳位置   140.13   1085.30   13261.31  
射出瞳位置   182.18    182.18     182.18  
前側主点位置 149.39   1244.51   20452.20  
後側主点位置   4.49    -86.71   -1007.49  
ズームレンズ群データ
群  始面    焦点距離  レンズ構成長  前側主点位置  後側主点位置
1     1     245.00       137.58        78.95        -19.22
2    15     -24.16        26.97         3.15        -15.70
(21   15     -34.46         2.20         0.95         -0.14)
(22   17    -102.90        14.56        -0.95         -9.11)
3    22      73.07        64.25        18.46        -30.29
(31   22     166.13         9.92         2.94         -2.84)
(32   24     111.79        46.33        12.91        -19.84)
4    33      45.45       148.26        62.69         16.84
単レンズデータ
レンズ  始面  焦点距離
1       1   -390.73
2       3    601.51
3       5  -2140.25
4       7    710.69
5       9    735.57
6      11    912.82
7      13    708.68
8      15    -34.46
9      17    -37.05
10      18     31.41
11      20    -60.57
12      22    166.13
13      24    156.02
14      26   -196.14
15      28    158.22
16      29   -276.12
17      31    187.18
18      34    -42.40
19      36     78.51
20      38   -226.44
21      40    -72.88
22      41     73.04
23      43    -35.85
24      44     44.40
25      46    499.85
26      48    -40.18
27      49     53.26
28      51     50.35
29      52    -65.03
30      54     63.25
31      56      0.00
32      57      0.00
【０１２１】
＜数値実施例３＞
単位 mm
面データ
面番号      r         d        nd        vd       θgF   焦点距離
1      370.02646   3.00000  1.834807   42.73    0.5648   -245.460
2      131.86151   1.50000                                       
3      133.46339  16.38563  1.433870   95.10    0.5373    312.426
4     7187.78298  11.17261                                       
5      202.29537   9.36451  1.433870   95.10    0.5373    573.593
6     1054.40766   0.20000                                       
7      140.18738  13.98146  1.433870   95.10    0.5373    330.683
8     5362.33392   0.19044                                       
9      136.38892   9.58102  1.433870   95.10    0.5373    441.716
10      460.10675    (可変)                                       
11     -246.39748   1.50000  2.001000   29.13    0.5997    -34.929
12       41.25686   5.09603                                       
13     -181.73480   1.40000  1.772499   49.60    0.5520    -26.903
14       23.67232   4.00000  1.959060   17.47    0.6598    117.164
15       27.39621    (可変)                                       
16       46.55905   5.46738  1.808095   22.76    0.6307     38.348
17      -90.54190   4.54180                                       
18      -46.44439   1.30000  1.800999   34.97    0.5864    -63.151
19     -534.31593    (可変)                                       
20      -64.24834   1.30000  1.719995   50.23    0.5521    -42.248
21       58.78556   3.96241  1.846660   23.87    0.6205     78.264
22      468.76146    (可変)                                       
23        (絞り)    1.00000                                       
24      923.64595   4.91892  1.603112   60.64    0.5415     95.929
25      -61.85636   0.50000                                       
26      155.97437   4.02784  1.487490   70.23    0.5300    202.452
27     -268.94033   0.50000                                       
28       83.42956   7.70939  1.496999   81.54    0.5375     66.672
29      -53.53663   1.30000  1.846660   23.87    0.6205    -72.099
30     -411.57741   2.00000                                       
31       42.85500   3.61675  1.846660   23.78    0.6205    195.447
32       55.39285   1.64325                                       
33       57.75069   2.00000  1.772499   49.60    0.5520   -175.745
34       39.95983  37.00000                                       
35       52.82333   5.43187  1.537750   74.70    0.5392     58.704
36      -76.23055   1.50000                                       
37      272.63517   1.20000  1.882997   40.76    0.5667    -37.421
38       29.56272   4.22056  1.540720   47.23    0.5651     62.535
39      215.80524   1.00000                                       
40       57.33409   5.35460  1.516330   64.14    0.5353     41.775
41      -33.67642   1.20000  1.882997   40.76    0.5667    -30.273
42      135.60334   1.00331                                       
43       89.87263   2.99909  1.717362   29.52    0.6047     65.499
44      -98.72910   5.28362                                       
45          ∞     33.00000  1.608590   46.44    0.5664      0.0000
46          ∞     13.20000  1.516800   64.17    0.5347      0.0000
47          ∞      8.90000                                       
像面         ∞
【０１２２】
非球面データ
第11面
K = 0.00000e+000  A 4= 4.82854e-006  A 6=-2.01744e-010  
A 8=-1.30529e-011  A10= 2.38031e-014  A12=-6.84349e-018  
各種データ
ズーム比     46.00 
焦点距離       9.50    40.00   437.00  
Fナンバー      1.95     1.92     3.90  
画角          30.07     7.83     0.72  
レンズ全長   393.90   393.90   393.90  
d10            1.50    81.22   124.08  
d15           10.12    11.86     5.85  
d19          132.15    36.30    18.14  
d22            5.68    20.07     1.38  
入射瞳位置    80.13    405.45   2956.84  
射出瞳位置  -307.15   -307.15   -307.15  
前側主点位置  89.35    440.37   2789.59  
後側主点位置  -0.60    -31.08   -428.11  
ズームレンズ群データ
群  始面    焦点距離  レンズ構成長  前側主点位置  後側主点位置
1     1     161.33        65.38        36.16        -12.10
2    11     -20.56        33.43         2.71        -22.92
(21   11     -14.87        12.00         4.44         -3.33)
(22   16      77.37        11.31        -6.92        -13.90)
3    20     -91.94         5.26         0.33         -2.55
4    23      58.47       141.61        45.04       -111.07
単レンズデータ
レンズ  始面  焦点距離
1       1   -245.46
2       3    312.43
3       5    573.59
4       7    330.68
5       9    441.72
6      11    -34.93
7      13    -26.90
8      14    117.16
9      16     38.35
10      18    -63.15
11      20    -42.25
12      21     78.26
13      24     95.93
14      26    202.45
15      28     66.67
16      29    -72.10
17      31    195.45
18      33   -175.75
19      35     58.70
20      37    -37.42
21      38     62.54
22      40     41.78
23      41    -30.27
24      43     65.50
25      45      0.00
26      46      0.00
【０１２３】
＜数値実施例４＞
単位 mm
面データ
面番号      r         d        nd        vd       θgF   焦点距離
1      572.78489   3.00000  1.806098   40.92    0.5701   -265.727
2      156.19081   1.07300                                       
3      157.47493  16.68882  1.433870   95.10    0.5373    252.807
4     -352.73583  11.15000                                       
5      153.93799   8.87251  1.433870   95.10    0.5373    509.626
6      495.01541   0.20000                                       
7      122.47704   9.65614  1.433870   95.10    0.5373    405.716
8      390.73473   0.20000                                       
9      151.18223   6.79565  1.433870   95.10    0.5373    543.384
10      413.82995    (可変)                                       
11     -202.81897   1.00000  2.050900   26.94    0.6054    -30.258
12       38.19919   8.44837                                       
13      -38.93581   0.90000  1.816000   46.62    0.5568    -29.095
14       62.28215   0.70000                                       
15       49.53909   7.03623  1.892860   20.36    0.6393     27.800
16      -47.47829    (可変)                                       
17      -49.36320   1.10000  1.816000   46.62    0.5568    -52.864
18      359.91311    (可変)                                       
19      -60.45900   1.30000  1.717004   47.92    0.5605    -47.212
20       78.49067   3.83059  1.846490   23.90    0.6217     98.890
21     1073.38482    (可変)                                       
22      486.65054   5.87641  1.607379   56.81    0.5483     78.341
23      -52.74248   0.15000                                       
24     -944.01984   3.51644  1.518229   58.90    0.5457    299.738
25     -134.01898    (可変)                                       
26        (絞り)    1.00000                                       
27       39.06865   9.43204  1.487490   70.23    0.5300     58.436
28      -98.06367   1.50000  1.834000   37.17    0.5774   -121.818
29    -2415.03003   0.15000                                       
30       36.73108   8.30910  1.487490   70.23    0.5300     53.864
31      -86.27365   1.50000  1.882997   40.76    0.5667    -25.097
32       30.30129  50.00000                                       
33     -120.62916   4.64093  1.517417   52.43    0.5564     94.501
34      -35.36457   2.00000                                       
35       63.07563   1.20000  1.785896   44.20    0.5631    -82.516
36       31.79036   6.49533  1.517417   52.43    0.5564     48.172
37     -109.65039   1.50000                                       
38       76.16107   5.44373  1.517417   52.43    0.5564     48.054
39      -36.25647   1.20000  1.834807   42.71    0.5642    -24.462
40       48.07162   0.66799                                       
41       33.72522   5.00000  1.487490   70.23    0.5300     53.766
42     -113.62839   3.80000                                       
43          ∞     33.00000  1.608590   46.44    0.5664      0.0000
44          ∞     13.20000  1.516800   64.17    0.5347      0.0000
45          ∞     12.05000                                       
像面         ∞   
【０１２４】
非球面データ
第11面
K = 0.00000e+000  A 4= 2.24230e-005  A 6= 7.73970e-008  
A 8=-1.85376e-010  A10= 9.40868e-015  A12= 4.68120e-016  
A 3=-8.65610e-007  A 5=-3.83396e-007  A 7=-8.83966e-010  
A 9= 8.59974e-013  A11=-5.25839e-015  
第12面
K = 0.00000e+000  A 4= 1.97724e-005  A 6=-2.79161e-007  
A 8=-9.44260e-009  A10=-1.14469e-011  A12= 6.32462e-015  
A 3= 7.57609e-006  A 5= 7.61624e-007  A 7= 8.34294e-008  
A 9= 5.44052e-010  A11=-1.89925e-013  
各種データ
ズーム比     48.00 
焦点距離       9.30    35.00   446.40  
Fナンバー      2.00     2.00     4.20  
画角          30.60     8.93     0.71  
レンズ全長   382.64   382.64   382.64  
d10            1.50    69.96   117.33  
d16            3.40     3.86     5.17  
d18          110.61    20.36     3.46  
d21           10.04    30.22     1.75  
d25            3.50     4.66     1.34  
入射瞳位置    74.52   321.40  2469.39  
射出瞳位置   226.74   226.74   226.74  
前側主点位置  84.23   362.10  3843.99  
後側主点位置   2.75   -22.95  -434.35  
ズームレンズ群データ
群  始面    焦点距離  レンズ構成長  前側主点位置  後側主点位置
1     1     154.57        57.64        30.06        -12.99
2    11     -18.58        22.42         3.51        -12.39
(21   11     -43.94        18.08        -6.28        -24.58)
(22   17     -52.86         1.10         0.07         -0.53)
3    19     -90.80         5.13         0.09         -2.73
4    22      62.64         9.54         3.98         -2.18
5    26      67.34       150.04        89.56        -44.78
単レンズデータ
レンズ  始面  焦点距離
1       1   -265.73
2       3    252.81
3       5    509.63
4       7    405.72
5       9    543.38
6      11    -30.26
7      13    -29.09
8      15     27.80
9      17    -52.86
10      19    -47.21
11      20     98.89
12      22     78.34
13      24    299.74
14      27     58.44
15      28   -121.82
16      30     53.86
17      31    -25.10
18      33     94.50
19      35    -82.52
20      36     48.17
21      38     48.05
22      39    -24.46
23      41     53.77
24      43      0.00
25      44      0.00
【０１２５】
＜数値実施例５＞
単位 mm
面データ
面番号      r         d        nd        vd       θgF    焦点距離
1    -1769.73128   6.00000  1.834810   42.74    0.5648   -356.484
2      360.70730   1.80000                                       
3      369.83424  21.25139  1.433870   95.10    0.5373    710.303
4    -1844.10909   0.20000                                       
5      796.87239  14.54934  1.433870   95.10    0.5373    962.655
6     -877.45999  24.80412                                       
7      426.98414  17.38293  1.433870   95.10    0.5373    773.404
8    -1566.10718   0.25000                                       
9      263.88248  19.53397  1.433870   95.10    0.5373    646.078
10     4230.52574   1.48244                                       
11      189.20654  15.72153  1.438750   94.66    0.5340    760.247
12      424.70686    (可変)                                       
13     -769.11777   2.80000  2.001000   29.13    0.5997    -74.925
14       84.00418   4.60000                                       
15      -96.31054   1.70000  2.001000   29.13    0.5997    -30.791
16       46.27765   6.07620                                       
17      -95.29052   1.72000  1.903660   31.32    0.5946   -206.034
18     -195.33527   4.65000  1.892860   20.36    0.6393   -546.735
19     -326.83508   0.12000                                       
20      144.03658   9.69000  1.892860   20.36    0.6393     34.896
21      -39.05626   1.70000  1.816000   46.62    0.5568    -55.196
22     -290.11156    (可変)                                       
23      383.15555  10.20000  1.496999   81.54    0.5375    193.600
24     -127.84521    (可変)                                       
25       74.25964  15.00000  1.437000   95.10    0.5326    144.436
26     -401.54847   0.12000                                       
27      512.76931   5.70000  1.437000   95.10    0.5326    449.219
28     -318.30160   0.12000                                       
29       81.86998   2.02000  1.800000   29.84    0.6017   -116.612
30       43.28238  17.00000  1.437000   95.10    0.5326    115.467
31      263.90821    (可変)                                       
32        (絞り)    5.21000                                       
33      -85.48397   1.50000  1.772499   49.60    0.5520    -29.805
34       31.96296   0.12000                                       
35       33.16605   3.99000  1.805181   25.42    0.6161     43.419
36      522.69489   3.03000                                       
37      -38.75963   1.50000  1.487490   70.23    0.5300   -338.356
38      -51.25593   6.31000                                       
39     -119.76380   1.80000  1.804000   46.58    0.5573    -58.688
40       79.04800   4.85000  1.805181   25.42    0.6161    129.965
41      305.60641   1.68000                                       
42      -52.55966   3.50000  1.882997   40.76    0.5667    -37.443
43       93.37803   9.79000  1.540720   47.23    0.5651     44.593
44      -31.51883   0.12000                                       
45       37.74237  14.27000  1.834807   42.73    0.5648    205.504
46       39.97623   7.92000                                       
47     1676.58760   6.38000  1.729157   54.68    0.5444     77.626
48      -58.74910   0.12000                                       
49     -519.67153   5.50000  1.953750   32.32    0.5898    -30.129
50       30.81220   1.21000                                       
51       34.04910  14.88000  1.568832   56.36    0.5489     45.951
52      -96.38050   0.15000                                       
53       42.88678   5.79000  1.487490   70.23    0.5300     42.894
54      -39.25661   3.47000  1.953750   32.32    0.5898   -140.819
55      -57.69934   1.25000                                       
56         ∞      33.00000  1.608590   46.44    0.5664      0.0000
57         ∞      13.20000  1.516330   64.15    0.5352      0.0000
58         ∞      13.65000                                       
像面        ∞
【０１２６】
非球面データ
第13面
K = 0.00000e+000  A 4= 1.93552e-006  A 6= 2.71951e-010  A 8= 1.43741e-012  A10=-9.41523e-015  A12= 3.66596e-017  A14=-6.65258e-020  A16= 4.41119e-023  
第24面
K = 0.00000e+000  A 4= 2.15460e-007  A 6=-2.38101e-010  A 8= 3.90092e-013  A10=-4.30985e-016  A12= 3.07209e-019  A14=-1.24454e-022  A16= 2.12567e-026  
第27面
K = 0.00000e+000  A 4=-1.29620e-007  A 6=-3.43744e-010  A 8= 5.49813e-013  A10=-6.65398e-016  A12= 5.02957e-019  A14=-2.10978e-022  A16= 3.72025e-026  
各種データ
ズーム比    110.00 
焦点距離       8.00    62.16   880.00  
Fナンバー      1.75     1.75     4.80  
画角          34.51     5.06     0.36  
レンズ全長   678.85   678.85   678.85  
d12            3.23   140.18   193.44  
d22          301.38   116.93     1.99  
d24            1.00    21.42     0.94  
d31            2.86    29.94   112.10  
入射瞳位置   128.03   744.69  11535.22  
射出瞳位置   186.42   186.42    186.42  
前側主点位置 136.40   829.21  16897.00  
後側主点位置   5.65   -48.51   -866.31  
ズームレンズ群データ
群  始面    焦点距離  レンズ構成長  前側主点位置  後側主点位置
1     1     250.00       122.98        73.82        -14.70
2    13     -26.50        33.06         1.83        -22.97
3    23      70.98        51.16         7.44        -27.32
(31   23     193.60        10.20         5.14         -1.71)
(32   25     110.00        39.96         0.85        -26.02)
4    32      43.66       150.54        58.46         13.99
単レンズデータ
レンズ  始面  焦点距離
1       1   -356.48
2       3    710.30
3       5    962.65
4       7    773.40
5       9    646.08
6      11    760.25
7      13    -74.92
8      15    -30.79
9      17   -206.03
10      18   -546.73
11      20     34.90
12      21    -55.20
13      23    193.60
14      25    144.44
15      27    449.22
16      29   -116.61
17      30    115.47
18      33    -29.81
19      35     43.42
20      37   -338.36
21      39    -58.69
22      40    129.96
23      42    -37.44
24      43     44.59
25      45    205.50
26      47     77.63
27      49    -30.13
28      51     45.95
29      53     42.89
30      54   -140.82
31      56      0.00
32      57      0.00
【０１２７】
【表１】
2019148760.tif 000004
【符号の説明】
【０１２８】
Ｕ１    第１レンズ群
Ｕ２    第２レンズ群
Ｕ３    第３レンズ群
Ｕ４    第４レンズ群
ＳＰ    絞り
ＤＵ    色分解プリズムや光学フィルタ−等
ＩＰ    撮像面
【図１】
2019148760.tif 000005
【図２】
2019148760.tif 000006
【図３】
2019148760.tif 000007
【図４】
2019148760.tif 000008
【図５】
2019148760.tif 000009
【図６】
2019148760.tif 000010
【図７】
2019148760.tif 000011
【図８】
2019148760.tif 000012
【図９】
2019148760.tif 000013
【図１０】
2019148760.tif 000014
【図１１】
2019148760.tif 000015
【図１２】
2019148760.tif 000016